(57)【要約】【課題】本発明では、ポインティングデバイスを用いて操作画面を操作することにより顕微鏡装置を操作する顕微鏡システムにおいて、ポインティングデバイスにより複数の駆動ユニットを制御することができる顕微鏡システムを提供する。【解決手段】顕微鏡システムは、複数の駆動ユニットを有する顕微鏡装置と、前記顕微鏡装置の操作を行うための操作画面を表示する表示手段と、前記操作画面に対して前記顕微鏡装置への操作指示をポインタにより入力するポインティングデバイスと、前記操作画面上における前記ポインタの位置に応じて、前記駆動ユニットを切り換え、該ポインティングデバイスの操作に応じて、該切り換えた駆動ユニットの動作を制御する制御手段と、を備えることにより、上記課題の解決を図る。【選択図】      図１
2010079035.tif 000002
【特許請求の範囲】
【請求項１】
複数の駆動ユニットを有する顕微鏡装置と、
前記顕微鏡装置の操作を行うための操作画面を表示する表示手段と、
前記操作画面に対して前記顕微鏡装置への操作指示をポインタにより入力するポインティングデバイスと、
前記操作画面上における前記ポインタの位置に応じて、前記駆動ユニットを切り換え、該ポインティングデバイスの操作に応じて、該切り換えた駆動ユニットの動作を制御する制御手段と、
を備えることを特徴とする顕微鏡システム。
【請求項２】
前記駆動ユニットには、観察倍率を変倍する変倍機構、観察光路と同方向または垂直方向に観察体を移動させることができる駆動ステージ、及び調光機構のうち少なくともいずれかが含まれ、
前記制御手段は、前記操作画面上における前記ポインタの位置を判別し、該ポインタが該操作画面上の第１の領域にある場合には、該ポインティングデバイスの操作に応じて、前記駆動ステージを観察光路方向へ動作させ、該ポインタが該操作画面上の第２の領域にある場合には、該ポインティングデバイスの操作に応じて、前記駆動ステージを観察光路に対して垂直方向へ動作させ、該ポインタが該操作画面上の第３の領域にある場合には、該ポインティングデバイスの操作に応じて、前記変倍機構に倍率を変倍させ、該ポインタが該操作画面上の第４の領域にある場合には、該ポインティングデバイスの操作に応じて、調光制御を行う
ことを特徴とする請求項１に記載の顕微鏡システム。
【請求項３】
前記顕微鏡システムは、さらに、
前記顕微鏡装置によって観察された観察体の像を撮像する撮像手段
を備え、
前記操作画面には、前記撮像手段により撮像された画像を表示させる画像表示領域が含まれ、
前記制御手段は、前記画像表示領域上における前記ポインタの位置に応じて、前記駆動ユニットを切り換え、該ポインティングデバイスの操作に応じて、該切り換えた駆動ユニットの動作を制御する
ことを特徴とする請求項１または２に記載の顕微鏡システム。
【請求項４】
前記ポインティングデバイスは、ホイール付マウスであり、
前記制御手段は、前記ホイール付マウスのホイールの操作に応じて、前記切り換えた駆動ユニットの動作を制御する
ことを特徴とする請求項１〜３のうちいずれか１項に記載の顕微鏡システム。
【請求項５】
前記制御手段は、前記操作画面上の位置に応じて、前記ポインタの表示形態を所定の表示形態に変化させる
ことを特徴とする請求項１〜４のうちいずれか１項に記載の顕微鏡システム。
【請求項６】
複数の駆動ユニットを有する顕微鏡装置と、前記顕微鏡装置の操作を行うための操作画面を表示する表示装置と、前記操作画面に対して前記顕微鏡装置への操作指示をポインタにより入力するポインティングデバイスを有する顕微鏡システムを制御する処理をコンピュータに実行させる顕微鏡システム制御プログラムであって、
前記操作画面上における前記ポインタの位置を判別する判別処理と、
前記判別結果より、前記操作画面上における前記ポインタの位置に応じて、前記駆動ユニットを切り換えるユニット切換処理と、
該ポインティングデバイスの操作に応じて、該切り換えた駆動ユニットの動作を制御するユニット制御処理と、
をコンピュータに実行させる顕微鏡システム制御プログラム。
【請求項７】
複数の駆動ユニットを有する顕微鏡装置と、前記顕微鏡装置の操作を行うための操作画面を表示する表示装置と、前記操作画面に対して前記顕微鏡装置への操作指示をポインタにより入力するポインティングデバイスを有する顕微鏡システムを制御する顕微鏡システ制御方法であって、
前記操作画面上における前記ポインタの位置を判別し、
前記判別結果より、前記操作画面上における前記ポインタの位置に応じて、前記駆動ユニットを切り換え、
該ポインティングデバイスの操作に応じて、該切り換えた駆動ユニットの動作を制御する
ことを特徴とする顕微鏡システム制御方法。
【発明の詳細な説明】
【技術分野】
【０００１】
本発明は、複数の対物レンズを有し、微小な試料の拡大観察を行う、各種光学部材がモータによって駆動される顕微鏡システムに関する。
【背景技術】
【０００２】
顕微鏡装置は工業分野を始め、生物分野における研究や検査等において広く利用されている。
このような顕微鏡装置を使用して検査を行う場合には、一般に拡大倍率の異なる複数の対物レンズを有し、対物レンズからの観察光路と直交する平面内で観察試料を移動できる電動ステージを操作することにより、観察、検査を行っている。この検査としては、例えば、次の方法がある。まず、対物レンズを低倍にセットして試料全体を漏れのないようにスクリーニングする。その後、その観察試料の中で異常部位が発見されたポイントや記録に残したいポイントに戻る。さらに、高倍率の対物レンズを最適な検鏡方法へと切換えて、異常部位を詳細に検査し、その詳細観察データの記録を行う。
【０００３】
特許文献１では、モニター上の観察像の所望の領域を指定すると、その指定領域を全画面に表示するに必要な対物倍率およびステージの位置を演算し、その演算結果に基づいて、対物倍率に対応する対物レンズが観察光路に挿入され、かつ指定領域が観察視野のほぼ中央に位置するように、変倍機構およびステージを自動的に駆動する顕微鏡変倍装置が開示されている。
【０００４】
特許文献２では、モニターに表示させたＸ−Ｙ方向用及びＺ方向用のコントローラ・イメージ上で、ポインタを移動させることによってステージの移動方向とステージの移動速度を設定することができる顕微鏡装置が開示されている。
【０００５】
特許文献３では、マウスのホイールの回転量および回転方向によって設定された倍率に基づいて顕微鏡像の倍率を制御し、マウスの一方のスイッチに位置調整の機能を割り当て、他方のスイッチに焦点調整の機能を割り当てることによって、顕微鏡像の位置調整及び焦点調整を可能にした顕微鏡が開示されている。
【特許文献１】特許第２９２５６４７号
【特許文献２】特開２００１−９１８５４号公報
【特許文献３】特開２００２−９８８９７号公報
【発明の開示】
【発明が解決しようとする課題】
【０００６】
近年、顕微鏡システムの電動化が進展しつつある。その１つに、特許文献３に示すように、モニターに表示された操作画面をポインティングデバイスであるマウスを操作することにより、顕微鏡のコントロールを行うものが知られている。
【０００７】
しかしながら、ホイール付マウスのホイールに駆動ユニットをコントロールする機能を割り当てる場合、ホイールは１つしかないので１つの駆動ユニットについてしか割り当てることができない。しかし、顕微鏡システムには複数の駆動ユニットがあるので、その多くの駆動ユニットをホイール付マウスのホイールでコントロールすることができない。
【０００８】
ところが、観察状況に応じて、マウスのホイール操作によって駆動を行いたい駆動ユニットは異なってくる。例えば、標本を表示している画面上において、ポインタの位置に応じて、駆動を行いたい駆動ユニットを切り換えたい場合、ユーザ自身で、ユニットを切り替えなければならなかった。したがって、そのようにユーザ自身でユニットの切り換えを行わなければならず、操作性があまりよくなかった。
【０００９】
上記の課題に鑑み、本発明では、ポインティングデバイスを用いて操作画面を操作することにより顕微鏡装置を操作する顕微鏡システムにおいて、ポインティングデバイスにより複数の駆動ユニットを制御することができる顕微鏡システムを提供する。
【課題を解決するための手段】
【００１０】
本発明にかかる顕微鏡システムは、複数の駆動ユニットを有する顕微鏡装置と、前記顕微鏡装置の操作を行うための操作画面を表示する表示制御手段と、前記操作画面に対して前記顕微鏡装置への操作指示をポインタにより入力するポインティングデバイスと、前記操作画面上における前記ポインタの位置に応じて、前記駆動ユニットを切り換え、該ポインティングデバイスの操作に応じて、該切り換えた駆動ユニットの動作を制御する制御手段と、を備えることを特徴とする。
【００１１】
前記駆動ユニットには、観察倍率を変倍する変倍機構、観察光路と同方向または垂直方向に観察体を移動させることができる駆動ステージ、及び調光機構のうち少なくともいずれかが含まれ、前記制御手段は、前記操作画面上における前記ポインタの位置を判別し、該ポインタが該操作画面上の第１の領域にある場合には、該ポインティングデバイスの操作に応じて、前記駆動ステージを観察光路方向へ動作させ、該ポインタが該操作画面上の第２の領域にある場合には、該ポインティングデバイスの操作に応じて、前記駆動ステージを観察光路に対して垂直方向へ動作させ、該ポインタが該操作画面上の第３の領域にある場合には、該ポインティングデバイスの操作に応じて、前記変倍機構に倍率を変倍させ、該ポインタが該操作画面上の第４の領域にある場合には、該ポインティングデバイスの操作に応じて、調光制御を行うことを特徴とする。
【００１２】
前記顕微鏡システムは、さらに、前記顕微鏡装置によって観察された観察体の像を撮像する撮像手段を備え、前記操作画面には、前記撮像手段により撮像された画像を表示させる画像表示領域が含まれ、前記制御手段は、前記画像表示領域上における前記ポインタの位置に応じて、前記駆動ユニットを切り換え、該ポインティングデバイスの操作に応じて、該切り換えた駆動ユニットの動作を制御することを特徴とする。
【００１３】
前記ポインティングデバイスは、ホイール付マウスであり、前記制御手段は、前記ホイール付マウスのホイールの操作に応じて、前記切り換えた駆動ユニットの動作を制御することを特徴とする。
【００１４】
前記制御手段は、前記操作画面上の位置に応じて、前記ポインタの表示形態を所定の表示形態に変化させることを特徴とする。
また、本発明にかかる、複数の駆動ユニットを有する顕微鏡装置と、前記顕微鏡装置の操作を行うための操作画面を表示する表示装置と、前記操作画面に対して前記顕微鏡装置への操作指示をポインタにより入力するポインティングデバイスを有する顕微鏡システムを制御する処理をコンピュータに実行させる顕微鏡システム制御プログラムは、前記操作画面上における前記ポインタの位置を判別する判別処理と、前記判別結果より、前記操作画面上における前記ポインタの位置に応じて、前記駆動ユニットを切り換えるユニット切換処理と、該ポインティングデバイスの操作に応じて、該切り換えた駆動ユニットの動作を制御するユニット制御処理と、をコンピュータに実行させることを特徴とする。
【００１５】
また、本発明にかかる、複数の駆動ユニットを有する顕微鏡装置と、前記顕微鏡装置の操作を行うための操作画面を表示する表示装置と、前記操作画面に対して前記顕微鏡装置への操作指示をポインタにより入力するポインティングデバイスを有する顕微鏡システムを制御する顕微鏡システ制御方法は、前記操作画面上における前記ポインタの位置を判別し、前記判別結果より、前記操作画面上における前記ポインタの位置に応じて、前記駆動ユニットを切り換え、該ポインティングデバイスの操作に応じて、該切り換えた駆動ユニットの動作を制御することを特徴とする。
【発明の効果】
【００１６】
本発明によれば、ポインティングデバイスを用いて操作画面を操作することにより、顕微鏡システムを操作する場合、ポインティングデバイスにより複数の駆動ユニットを制御することができる。
【発明を実施するための最良の形態】
【００１７】
本発明の実施形態にかかる顕微鏡システムは、顕微鏡装置と、表示手段と、ポインティングデバイスと、制御手段とを備える。
顕微鏡装置は、複数の駆動ユニットを有する。顕微鏡装置は、例えば本実施形態で言えば、顕微鏡装置１に相当する。
【００１８】
表示手段は、前記顕微鏡装置の操作を行うための操作画面を表示する。表示手段は、例えば本実施形態で言えば、モニター５に相当する。
ポインティングデバイスは、前記操作画面に対して前記顕微鏡装置への操作指示をポインタにより入力する。ポインティングデバイスは、例えば本実施形態で言えば、マウス８８に相当する。
【００１９】
制御手段は、前記操作画面上における前記ポインタの位置に応じて、前記駆動ユニットを切り換え、該ポインティングデバイスの操作に応じて、該切り換えた駆動ユニットの動作を制御する。制御手段は、例えば本実施形態で言えば、ホストシステム２に相当する。
【００２０】
このように構成することにより、ポインティングデバイスを用いて操作画面を操作することにより顕微鏡装置を操作する顕微鏡システムにおいて、ポインティングデバイスにより複数の駆動ユニットを制御することができる。
【００２１】
前記駆動ユニットには、観察倍率を変倍する変倍機構、観察光路と同方向または垂直方向に観察体を移動させることができる駆動ステージ、及び調光機構のうち少なくともいずれかが含まれる。
【００２２】
この場合、前記制御手段は、前記操作画面上における前記ポインタの位置を判別する。該ポインタが該操作画面上の第１の領域にある場合には、前記制御手段は、該ポインティングデバイスの操作に応じて、前記駆動ステージを観察光路方向へ動作させる。前記制御手段は、該ポインタが該操作画面上の第２の領域にある場合には、該ポインティングデバイスの操作に応じて、前記駆動ステージを観察光路に対して垂直方向へ動作させる。前記制御手段は、該ポインタが該操作画面上の第３の領域にある場合には、該ポインティングデバイスの操作に応じて、前記変倍機構に倍率を変倍させる。前記制御手段は、該ポインタが該操作画面上の第４の領域にある場合には、該ポインティングデバイスの操作に応じて、調光制御を行う。
【００２３】
このように構成することにより、操作画面上のポインタの位置に応じて、制御対象となる駆動ユニットを切り替えることができる。そして、該ポインティングデバイスの操作に応じて、その切り換えた駆動ユニット固有の機能を制御できる。
【００２４】
前記顕微鏡システムは、さらに、前記顕微鏡装置によって観察された観察体の像を撮像する撮像手段を備える。撮像手段は、例えば本実施形態で言えば、ビデオカメラ３に相当する。ここで、前記操作画面には、前記撮像手段により撮像された画像を表示させる画像表示領域が含まれている。また、前記制御手段は、前記画像表示領域上における前記ポインタの位置に応じて、前記駆動ユニットを切り換える。それから、前記制御手段は、該ポインティングデバイスの操作に応じて、該切り換えた駆動ユニットの動作を制御する。
【００２５】
このように構成することにより、操作画面上のポインタの位置に応じて、制御対象となる駆動ユニットを切り替えることができる。そして、該ポインティングデバイスの操作に応じて、その切り換えた駆動ユニット固有の機能を制御できる。
【００２６】
また、前記ポインティングデバイスの一例は、ホイール付マウスである。このとき、前記制御手段は、前記ホイール付マウスのホイールの操作に応じて、前記切り換えた駆動ユニットの動作を制御する。
【００２７】
このように構成することにより、操作画面上のマウスポインタの位置に応じて、制御対象となる駆動ユニットを切り替えることができる。そして、ホイール付マウスのホイールの操作に応じて、前記切り換えた駆動ユニットの動作を制御することができる。
【００２８】
また、前記制御手段は、前記操作画面上の位置に応じて、前記ポインタの表示形態を所定の表示形態に変化させることができる。このように構成することにより、操作画面上の位置に応じて、前記ポインタの表示形態を所定の表示形態に変化させることができる。
【００２９】
以下、図面を参照しながら本発明の実施の形態の詳細を説明する。
図１は、本発明を実施する顕微鏡システムの構成例を示す図である。顕微鏡装置１には、透過観察用光学系として、透過照明用光源６と、透過照明用光源６の照明光を集光するコレクタレンズ７と、透過用フィルタユニット８と、透過視野絞り９と、透過開口絞り１０と、コンデンサ光学素子ユニット１１と、トップレンズユニット１２とが備えられている。また、落射観察光学系として、落射照明用光源１３と、コレクタレンズ１４と、落射用フィルタユニット１５と、落射シャッタ１６と、落射視野絞り１７と、落射開口絞り１８とが備えられている。
【００３０】
また、これらの透過観察用光学系の光路と落射観察用光学系の光路とが重なる観察光路上には、観察体（標本）１９が載置される電動ステージ２０が備えられている。電動ステージ２０は、上下左右の各方向に移動可能である。この電動ステージ２０の移動の制御は、ステージＸ−Ｙ駆動制御部２１と、ステージＺ駆動制御部２２とによって行われる。
【００３１】
なお、電動ステージ２０は、原点センサによる原点検出機能（不図示）を有している。これにより、電動ステージ２０に載置した標本１９の座標検出及び座標指定による移動制御を行うことができる。
【００３２】
また、観察光路上には、レボルバ２４と、キューブユニット２５と、ズーム光学系２７とが備えられている。レボルバ２４は、複数装着された対物レンズ２３ａ，２３ｂ，…（以下、必要に応じて「対物レンズ２３」と総称する）から観察に使用するものを回転動作により選択する。キューブユニット２５は、検鏡方法を切り替える。
【００３３】
さらに、微分干渉観察用のポラライザー２８、ＤＩＣ（Differential Interference Contrast）プリズム２９、及びアナライザー３０は観察光路に挿入可能となっている。これらの各ユニットは電動化されており、その動作は後述する顕微鏡コントローラ３１によって制御される。
【００３４】
また、対物レンズ２３には、カバーガラスによる厚みの補正を行う収差補正機能を有する、いわゆる補正環付対物レンズが装着されている（不図示）。また、顕微鏡コントローラ３１によって補正環位置の制御も可能となっている。
【００３５】
ホストシステム２に接続された顕微鏡コントローラ３１は、顕微鏡装置１全体の動作を制御する機能を有する。顕微鏡コントローラ３１は、ホストシステム２からの制御信号に応じ、検鏡方法の変更、透過照明用光源６及び落射照明用光源１３の調光を行う機能を有する。また、顕微鏡コントローラ３１は、現在の顕微鏡装置１による検鏡状態（顕微鏡状態）をホストシステム２へ送出する機能を有する。また、顕微鏡コントローラ３１は、ステージＸ−Ｙ駆動制御部２１及びステージＺ駆動制御部２２にも接続されている。それにより、電動ステージ２０の制御もホストシステム２で行うことができる。
【００３６】
顕微鏡操作部３４は、顕微鏡装置１の動作指示を入力するための各種入力部を備えたハンドスイッチである。さらに、ハンドスイッチに備えられたジョイスティックやエンコーダ（表記せず）によって、電動ステージ２０の操作も行えるものとなっている。
【００３７】
ビデオカメラ３によって撮像された標本１９の顕微鏡画像は、ビデオボード３２を介してホストシステム２に取り込まれる。ホストシステム２は、ビデオカメラ３に対して、自動ゲイン制御のＯＮ／ＯＦＦ、ゲイン設定、自動露出制御のＯＮ／ＯＦＦ、及び露光時間の設定を、カメラコントローラ３３を介して行うことができる。
【００３８】
また、ホストシステム２は、ビデオカメラ３から送られてきた標本１９の画像データを操作来歴記録部４に保存することができる。操作来歴記録部４に記録された画像データはホストシステム２によって読み出され、表示部であるモニター５に表示させることができる。
【００３９】
また、ホストシステム２は、撮像した観察体の観察画像を重ね合わせる等の画像処理を行うことができる。また、ホストシステム２は、モニター５に表示させるグラフィカルユーザインターフェース（ＧＵＩ）の表示形態を制御する。更に、ホストシステム２は、ビデオカメラ３によって撮像された画像のコントラストに基づいて合焦動作を行う、いわゆるビデオＡＦ機能も提供している。
【００４０】
なお、ホストシステム２は、ＣＰＵ（中央演算装置）、メインメモリ、マウス８８、インターフェースユニット、補助記憶装置等を有しているコンピュータである。ＣＰＵは、制御プログラムの実行によって顕微鏡システム全体の動作を制御する。メインメモリは、ＣＰＵが必要に応じてワークメモリとして使用する。
【００４１】
マウス８８は、本実施例では、ホイール付マウスである。このホイールは、クリック機能を有しており、本実施形態では、ホイール１回転当たり２４クリックに相当する。
インターフェースユニットは、この顕微鏡システムの各構成要素との間で各種データの授受を管理する。補助記憶装置は、各種のプログラムやデータを記憶しておく例えばハードディスク装置などである。
次に、ホストシステム２によってモニター５に１つずつ操作メニュー画面として表示される４つのウィザード画面について説明する。
【００４２】
図２は、その４つのウィザード画面の概要を説明する図である。同図に示したように、４つのウィザード画面には、ウィザード画面Ａ、ウィザード画面Ｂ、ウィザード画面Ｃ、及びウィザード画面Ｄがある。ウィザード画面Ａは、スタートメニュー画面である。ウィザード画面Ｂは、標本チェックメニュー画面である。ウィザード画面Ｃは、標本サーチメニュー画面である。ウィザード画面Ｄは、撮影メニュー画面である。
【００４３】
これら４つのウィザード画面の各々は、顕微鏡観察における複数（本例では４つとする）の観察ステップの各々に対応して設けられている。そして、顕微鏡観察を行う場合、ユーザが観察ステップに応じてウィザード画面を順次切り替えて使用する。なお、ウィザード画面の切り替えは、同図の矢印に示したように、各ウィザード画面から他の３つのウィザード画面の何れへも切り替えることが可能になっている。
【００４４】
各ウィザード画面では、対応する観察ステップにおいて必要となる設定及び操作のみを受け付けることが可能なように、その設定及び操作が可能なユニットとの関連付けが行われる。そのため、各ウィザード画面では、ユーザが不用意に不必要な設定及び操作を行うことができない。また、各ウィザード画面にて受け付けた設定及び操作は、来歴データとして、操作来歴記録部４に記録される。
【００４５】
次に、４つのウィザード画面の各々を詳細に説明する。
図３は、ウィザード画面Ａの一例を示す図である。同図に示したウィザード画面Ａは、観察を開始するための最初の操作メニュー画面となるスタートメニュー画面（撮影コース選択メニュー画面）である。
【００４６】
このウィザード画面Ａでは、ユーザが、これから観察を行う標本（スライドガラス）１９のセット（交換）作業と、これから観察を行う検鏡方法（明視野観察、微分干渉観察、蛍光観察等）の選択と、使用する光学素子（対物レンズ２３、キューブ等）の選択と、撮影画像サイズの設定等を行うことができる。
【００４７】
ウィザード画面Ａにおいて、標本交換ボタン３６は、標本１９を交換するための指示を行うためのボタンである。標本交換ボタン３６が押下（例えばマウスによるクリック）されると、ホストシステム２は顕微鏡コントローラ３１を介して電動ステージ２０に対して指示を送る。この指示に基づいて、電動ステージ２０は、標本１９の交換を行うためのステージ位置座標（標本交換位置座標）へ移動する。
【００４８】
なお、標本１９のセット後に、ユーザがウィザード画面Ａに所定の操作（例えば標本交換ボタン３６の再押下）をした場合、標本１９の位置を中心ステージ位置座標（観察開始デフォルト座標）へセットするように電動ステージ２０を移動させることもできる。
【００４９】
エリア３５は、ウィザード画面Ａにおけるメインエリアとなっている。エリア３５内のボタン４３，４４，４５は、いずれも検鏡方法選択ボタンである。ボタン４３は、蛍光観察選択ボタンである。ボタン４４は、微分干渉観察選択ボタンである。ボタン４５は、明視野観察選択ボタンである。
【００５０】
ボタン４６〜４９は、いずれも撮影方法選択ボタンである。例えば、ボタン４６は、通常撮影を選択するボタンである。ボタン４７は、Ｚスタック撮影を選択するボタンである。ボタン４８は、タイムラプス撮影を選択するボタンである。
【００５１】
また、ボタン５１は、次の観察ステップに対応するウィザード画面Ｂへ移行するためのボタンである。ボタン５２は、ウィザード画面Ａに移行する前のウィザード画面に戻るためのボタンである。例えば、ウィザード画面Ｄからウィザード画面Ａに移行していた場合には、ボタン５２が押下（例えばマウスによるクリック）されると、ウィザード画面Ｄへ戻ることとなる。エリア５０は、各種説明表示用のエリアである。
【００５２】
エリア３７は、使用する光学素子の選択、追加、交換（物理的交換）のためのエリアである。ユーザは、このエリア３７を介して、選択されている検鏡方法による観察で使用するキューブ等の設定を行うことができる。すなわち、ユーザは、顕微鏡装置１で駆動可能な各種光学素子のうち、ウィザード画面Ａにて選択した検鏡方法に関連する光学素子のみの設定を行うことが可能となる。
【００５３】
ボタン３８〜４１は、いずれも他のウィザード画面にダイレクトに移行するためのボタンである。ボタン３８は、ウィザード画面Ａに移行するためのボタンである。ボタン３９は、ウィザード画面Ｂに移行するためのボタンである。ボタン４０は、ウィザード画面Ｃに移行するためのボタンである。ボタン４１は、ウィザード画面Ｄに移行するためのボタンである。但し、モニター５に表示されているウィザード画面と同一のウィザード画面へ移行するためのボタンが押下（例えばマウスによるクリック）された場合には、ウィザード画面の移行は行われない。なお、ボタン３８〜４１は、後述のウィザード画面Ｂ、ウィザード画面Ｃ、及びウィザード画面Ｄにおいても設けられるものである。
【００５４】
また、このウィザード画面Ａでは、ビデオカメラ３で撮影を行う際の画像サイズを設定することも可能となっている。
このように、ウィザード画面Ａにおいてユーザが行うことのできる設定及び操作は、原則として、標本１９の交換を行うための電動ステージ２０の移動指示を行うためのものと、撮影コース（検鏡方法）を選択するためのものと、光学素子を交換するためのものと、撮影画像サイズを設定するためのものとなっている。よって、その他のユニットに対する設定及び操作は、ウィザード画面Ａから行うことができないものとなっている。さらにエリア５０は各種説明表示用のメニューとなっている。
【００５５】
図４は、ウィザード画面Ｂの一例を示す図である。同図に示したウィザード画面Ｂは、マクロ画像（低倍対物レンズによる撮影画像）における初期観察スタート位置の検索とそのマクロ画像におけるＡＦ動作（合焦動作）を行わせるための操作メニュー画面となる標本チェックメニュー画面である。
【００５６】
このウィザード画面Ｂにおいて、スライドイメージエリア５３における矩形で示されるエリア５４の範囲は、標本１９であるスライドガラス全体に対する電動ステージ２０の動作可能範囲を示している。
【００５７】
マクロ画像表示エリア５６は、ビデオカメラ３によりリアルタイムに撮影される標本１９のＬＩＶＥ画像となるマクロ画像が表示されるエリアである。なお、ウィザード画面Ｂがモニター５に表示されているときには、使用する対物レンズ２３が低倍（ここでは４ｘ（４倍）の対物レンズとする）のものに固定される。
【００５８】
また、マクロ画像表示エリア５６に表示されるマクロ画像は、図３に示したウィザード画面Ａにて選択された検鏡方法の下で撮影されたマクロ画像となるのが原則である。しかしながら、ウィザード画面Ａにて選択された検鏡方法が蛍光観察であった場合には、標本１９における観察対象の褪色を防止する必要がある。そのために、ウィザード画面Ｂでは、検鏡方法が微分干渉観察へ切り替えられ、その微分干渉観察の下で撮影されたマクロ画像が表示されるようになっている。
【００５９】
また、スライドイメージエリア５３においては、そのマクロ画像表示エリア５６に表示されているマクロ画像に対応する範囲が矩形枠５４として示される。また、スライドイメージエリア５３における十字マーク５５の位置がマクロ画像表示エリア５６にてマクロ画像として表示されている中心位置となっている。
【００６０】
マクロ画像表示エリア５６の周囲には、標本１９を４方向に移動させるためのボタン５７〜６０が設けられている。ユーザがボタン５７〜６０の何れかを押下（例えばマウスによりクリック）すると、そのボタンに対応する方向へ電動ステージ２０が移動し、標本１９がその方向へ移動するようになっている。
【００６１】
従って、ユーザは、スライドイメージエリア５３及びマクロ画像表示エリア５６の表示内容を確認しながらボタン５７〜６０を押下することにより、標本１９における観察対象が存在する初期観察スタート位置を選択することができる。初期観察スタート位置の選択が行われると、ＡＦ動作を実行させることができる。これにより、マクロ画像における合焦座標（Ｚ座標）を決定することができる。
【００６２】
また、この初期観察スタート位置の選択が行われた後、ユーザによるボタン６１の押下（例えばマウスのクリック）により、ＡＦ動作を実行させることができ、マクロ画像における合焦座標（Ｚ座標）を決定することができる。
【００６３】
なお、ウィザード画面Ａにて蛍光観察が選択されていた場合には、上述の通り、検鏡方法が一時的に微分干渉観察に切り替えられ、その微分干渉観察の下で撮影されたマクロ画像がマクロ画像表示エリア５６に表示される。そのため、上記の初期観察スタート位置の選択とマクロ画像における合焦座標の決定も、その微分干渉観察の下で撮影されたマクロ画像に対して行われることとなる。
【００６４】
ボタン６１は、上記のＡＦ動作の実行の他、次の観察ステップに対応するウィザード画面Ｃへ移行するための移動指示ボタンである。ユーザによるボタン６１の押下により、ウィザード画面Ｃに移行する。ボタン６２は、ウィザード画面Ｂに移行する前のウィザード画面に戻るためのボタンである。
【００６５】
このように、ウィザード画面Ｂにおいてユーザが行うことのできる設定及び操作は、標本１９における観察対象が存在する初期観察スタート位置を選択するためのものと、マクロ画像におけるＡＦ動作を行わせるためのものとなっている。
【００６６】
なお、ウィザード画面Ａからウィザード画面Ｂに移行した時には、ウィザード画面Ａにて選択された検鏡方法への切り替えが自動的に行われる。これにより、ウィザード画面Ｂのマクロ表示エリア５６に、ウィザード画面Ａにて選択させた検鏡方法による画像を表示させることができる。但し、検鏡方法として蛍光観察が選択されていた場合には、上述の通り、微分干渉観察への切り替えが行われる。この検鏡方法の切り替えでは、対物レンズ２３及びその他の設定が、切り替えられる検鏡方法に応じたデフォルト値に設定される。
【００６７】
図５は、ウィザード画面Ｃの一例を示す図である。同図に示したウィザード画面Ｃは、標本１９における撮影位置の検索及び撮影倍率を選択するための操作メニュー画面となる標本サーチメニュー画面である。
【００６８】
このウィザード画面Ｃにおいて、マクロＬＩＶＥ画像エリア６３は、ビデオカメラ３によりリアルタイムに撮影される標本１９のＬＩＶＥ画像となるマクロ画像が表示されるエリアである。
【００６９】
マクロＬＩＶＥ画像エリア６３において、ユーザは標本１９における撮影対象位置の検索と撮影範囲の選択を行うことが可能になっている。なお、ウィザード画面Ｃがモニター５に表示されているときにも、ウィザード画面Ｂのときと同様に、使用する対物レンズ２３が低倍（ここでは４ｘの対物レンズとする）のものに固定される。
【００７０】
範囲指定枠６４は、次の観察ステップに対応するウィザード画面Ｄにおけるビデオカメラ３による撮影範囲を示すものであり、矩形で示されている。すなわち、範囲指定枠６４が示す範囲は、次のウィザード画面Ｄにおいて撮影時に使用する対物レンズ２３による視野範囲に対応したものとなっている。また、この範囲指定枠６４は、マウスによるドラッグ及びドロップ操作によって、マクロＬＩＶＥ画像エリア６３の範囲内を移動可能となっている。
【００７１】
範囲指定枠切替エリア６７は、範囲指定枠６４の大きさ（撮影倍率）を変更するためのエリアである。範囲指定枠切替エリア６７において、ユーザがスライダー６７ａを左右に移動させることにより、範囲指定枠６４の大きさ（撮影倍率）を変更することが可能となっている（ここでは２０ｘ〜６０ｘ（２０倍〜６０倍）の範囲内で変更が可能であるとする）。
【００７２】
スライドエリア６５は、標本１９であるスライドガラス全体に対するマクロＬＩＶＥ画像エリア６３の位置を示すエリアである。スライドエリア６５において、十字マーク６６がマクロＬＩＶＥ画像エリア６３に表示されているマクロ画像の中心に対応する位置を示している。
【００７３】
ツールエリア６９は、マクロＬＩＶＥ画像エリア６３に表示されているマクロ画像の明るさ等の調整を行うためのものである。
フォーカスエリア６８は、マクロＬＩＶＥ画像エリア６３に表示されているマクロ画像のフォーカス調整を行うためのエリアである。フォーカスエリア６８において、ユーザがスライドバー６８ａを上下に移動させることにより、光軸方向（Ｚ方向）への電動ステージ２０の移動指示が行われ、フォーカス位置を変更することが可能となっている。
【００７４】
なお、その光軸方向に直行する方向（ＸＹ方向）への電動ステージ２０の移動指示は、ユーザがマクロＬＩＶＥ画像エリア６３上でのマウスのドラック＆ドロップ操作によるマクロ画像のスクロール操作を行うことによって可能となっている。
【００７５】
ボタン７０は、範囲指定枠６４により指定された範囲の撮影を行うための次の観察ステップに対応するウィザード画面Ｄへ移行するためのボタンである。ボタン７１は、ウィザード画面Ｃに移行する前のウィザード画面に戻るためのボタンである。
【００７６】
このように、ウィザード画面Ｃにおいてユーザが行うことのできる設定及び操作は、標本１９における撮影位置の検索のためのものと、撮影倍率を選択するためのものとなっている。
【００７７】
図６は、ウィザード画面Ｄの一例を示す図である。同図に示したウィザード画面Ｄは、ウィザード画面Ｃの範囲指定枠６４により指定された範囲の撮影を行うための操作メニュー画面となる撮影メニュー画面である。
【００７８】
このウィザード画面Ｄにおいて、画像表示エリア７２は、ウィザード画面Ｃの範囲指定枠６４により指定された範囲の標本１９がビデオカメラ３によりリアルタイムに撮影されたＬＩＶＥ画像が表示されるエリア、又は、その範囲の標本１９がビデオカメラ３により撮影されたＰＡＵＳＥ画像が表示されるエリアである。
【００７９】
なお、この画像表示エリア７２では、ＬＩＶＥ画像が表示されているときにユーザが画像表示エリア７２内の位置を指定（例えばマウスのダブルクリック）することによって、指定された位置が画像表示エリア７２の中心位置となるように電動ステージ２０を移動させることが可能になっている。従って、ユーザは、画像表示エリア７２上から、撮影位置調整のための電動ステージ２０の移動指示を行うことも可能になっている。
【００８０】
表示画像切替エリア８５は、画像表示エリア７２に表示させる画像を、リアルタイム画像であるＬＩＶＥ画像、又は、撮影した画像であるＰＡＵＳＥ画像の何れかに切り替えるためのエリアである。
【００８１】
この表示画像切替エリア８５内のボタン８６は、画像表示エリア７２に表示させる画像をＬＩＶＥ画像に切り替えるためのものである。ボタン８７は、画像表示エリア７２に表示させる画像をＰＡＵＳＥ画像に切り替えるためのものである。なお、蛍光画像表示中においては、退色防止のため、一定時間操作が行われないとＰＡＵＳＥ画像を表示するものとなっている。
【００８２】
フォーカス・補正環エリア７３は、画像表示エリア７２に表示されている画像のフォーカス及びＡＦ動作を行わせるためのものとなっている。このフォーカス・補正環エリア７３において、スライドバー７４はフォーカス調整を行うためのものである。
【００８３】
なお、このスライドバー７４は、ウィザード画面Ｃにおけるスライドバー６８ａと同様に、ユーザがスライドバー７４を上下に移動させることによって、光軸方向（Ｚ方向）への電動ステージ２０の移動指示が行われ、フォーカス位置を変更することが可能となっている。
【００８４】
ＡＦボタン７５は、ＡＦ動作（合焦動作）を行わせるためのものである。また、補正環調整ボタン７６Ａ及び７６Ｂは、カバーガラスによる厚みの収差補正を行うための補正環の駆動指示を行うためのものである。
【００８５】
ステージコントロール・マップエリア７７は、画像表示エリア７２の表示範囲とその周辺の画像を表示すると共に、当該エリア７７に表示される画像のスクロールをも可能にするエリアである。なお、このステージコントロール・マップエリア７７において、画像表示エリア７２の表示範囲は、矩形枠７８として示される。
【００８６】
ボタン７９は、現在の観察条件（検鏡方法、使用中のキューブ、対物レンズの倍率（撮影倍率）、撮影画像サイズ等）に同一又は類似の観察条件の下で過去に撮影された画像を一覧表示させるためのボタンである。
【００８７】
ボタン８０は、光学倍率（ズーム）の変更指示を行うものである。ボタン８０は、左にスライドされると低倍率に変更でき、右にスライドさせると高い倍率に変更できる。
ＳＨＯＴボタン８１は、画像表示エリア７２に表示されているＬＩＶＥ画像の撮影を行うためのボタンである。エリア８４は、ユーザが撮影条件をマニュアルで設定するためのものである。ボタン８２は、ウィザード画面Ｃへ移行するためのボタンである。ボタン８３は、ウィザード画面Ｄに移行する前のウィザード画面に戻るためのボタンである。
【００８８】
検鏡方法変更指示エリア８９は検鏡方法の切り換えの指示を行うエリアである。本例では、蛍光キューブＡ，Ｂ，Ｃ及びＤＩＣ観察の切り換えを行える。
このように、ウィザード画面Ｄにおいてユーザが行うことのできる設定及び操作は、ウィザード画面Ｃの範囲指定枠６４により指定された範囲の撮影を行うためのものとなっている。
【００８９】
次に、上述の４つのウィザード画面を使用しながら標本観察を行うときの顕微鏡システムの動作を説明する。以下では、検鏡方法として蛍光観察を選択し、使用するキューブとして蛍光キューブＡを選択し、蛍光キューブＡを用いた蛍光観察の下で標本１９の撮影を行う場合を例に、その動作を説明することにする。
【００９０】
図７〜図１０は、その標本観察動作のフローチャートを示す図である。これらのフローは、ホストシステム２により制御される。図１１〜図１９は、その動作中にモニター５に表示されるウィザード画面の一例を示す図である。
【００９１】
まず始めに、標本観察を開始するために、ユーザによる所定の操作により、モニター５にウィザード画面Ａ（図３参照）が表示される。これにより、スタートメニュー画面であるウィザード画面Ａに係る図７に示した処理がスタートする。
【００９２】
図７において、まず、ユーザによる標本交換ボタン３６の押下に応じて、ホストシステム２は、標本（観察体）１９を交換するためのステージ位置座標（標本交換位置座標）へ電動ステージ２０を移動させる。電動ステージ２０の移動完了後、標本１９がユーザによりセットされる（Ｓ１０１）。
【００９３】
標本１９がセットされると、ユーザによるウィザード画面Ａに対する所定の操作（例えば標本交換ボタン３６の再押下）に応じて、ホストシステム２は、標本１９の位置が電動ステージ２０の予め定められている中心ステージ位置座標（観察開始デフォルト座標）となるように電動ステージ２０を移動させる（Ｓ１０２）。これにより、電動ステージ２０の位置が基準点座標にセットさせる。
【００９４】
続いて、ユーザによるボタン４３〜４５の何れか１つの押下により、検鏡方法が選択される（Ｓ１０３）。これにより、観察を行う検鏡方法が選択される。本例では、蛍光観察を選択するとしていることから、ここではボタン４３が押下されたものとする。
【００９５】
続いて、ユーザによるエリア３７に対する操作により、キューブが選択される（Ｓ１０４）。これにより、観察に使用されるキューブが選択される。本例では、蛍光キューブＡを使用するとしていることから、ここでは蛍光キューブＡが選択されたものとする。
【００９６】
続いて、カメラ初期設定として、ユーザによるウィザード画面Ａに対する所定の操作により、ビデオカメラ３で撮影を行う際の画像サイズが設定される（Ｓ１０５）。本例では、撮影画像サイズとして、Ｍ×Ｎ（M＞０、N＞０）が設定されたとする。
【００９７】
続いて、ユーザによるボタン５１の押下に応じて、ホストシステム２は、Ｓ１０１〜Ｓ１０５で行われた設定及び操作を来歴データとして操作来歴記録部４に記録する（Ｓ１０６）。本例では、検鏡方法として蛍光観察が選択されたこと、使用するキューブとして蛍光キューブＡが選択されたこと、撮影画像サイズがＭ×Ｎに設定されたこと等が、来歴データとして操作来歴記録部４に記録される。そして、モニター５に表示されていたウィザード画面Ａをウィザード画面Ｂ（図４参照）に切り替える。これにより、標本チェックメニュー画面であるウィザード画面Ｂに係る図８に示すフローチャートがスタートする。
【００９８】
図８において、ウィザード画面Ｂに移行すると、まず、ホストシステム２は顕微鏡コントローラ３１に対して指示を行う。この指示に基づいて、顕微鏡コントローラ３１は、予め定められた標準ピント（Ｚ座標）位置へ電動ステージ２０を移動させ（Ｓ２０１）、使用する対物レンズ２３を４ｘのものへ切り替える（Ｓ２０２）。
【００９９】
続いて、ホストシステム２は、Ｓ１０３で選択された検鏡方法を操作来歴記録部４から読み出す（Ｓ２０３）。そして、ホストシステム２は、現在の検鏡方法を、その読み出した検鏡方法に対応する検鏡方法へ切り替える（Ｓ２０４）。
【０１００】
本例では、検鏡方法として蛍光観察が選択されたことが操作来歴記録部４に記録されていることから、選択された検鏡方法として蛍光観察が読み出される。そして、現在の検鏡方法が、読み出された蛍光観察に対応する検鏡方法として微分干渉観察に切り替えられる。
【０１０１】
このように、ウィザード画面Ｂにおいて、選択されている検鏡方法が蛍光観察であった場合には、上述の通り、観察対象の褪色防止のため、蛍光観察ではなく微分干渉観察への切り替えが行われる。これにより、現在の検鏡方法に応じた顕微鏡装置１の設定が、微分干渉観察に応じた顕微鏡装置１の設定に切り替えられる。
【０１０２】
検鏡方法の切り替えが終了すると、ホストシステム２は、切り替えた検鏡方法の下でビデオカメラ３によりリアルタイムで標本１９を撮影し、そのＬＩＶＥ画像となるマクロ画像をマクロ画像表示エリア５６へ表示することを開始する。
【０１０３】
本例では、微分干渉観察へ切り替えられたことから、ホストシステム２は、その微分干渉観察の下でビデオカメラ３によりリアルタイムに標本１９を撮影して、そのＬＩＶＥ画像となるマクロ画像をマクロ画像表示エリア５６に表示することが開始される。図１１は、この時のウィザード画面Ｂの一例を示す図である。
【０１０４】
続いて、ユーザによるボタン５７〜６０の押下に応じて、ホストシステム２は、電動ステージ２０を移動させる（Ｓ２０５）。この操作により、標本１９における観察対象が存在する初期観察スタート位置が選択される（Ｓ２０６）。これにより、ユーザは、スライドイメージエリア５３及びマクロ画像表示エリア５６の表示内容を確認しながらボタン５７〜６０を押下することにより、標本１９における観察対象が存在する初期観察スタート位置を検索することができる。そして、ユーザは、所望の位置を初期観察スタート位置として選択することができる。
【０１０５】
なお、この初期観察スタート位置として選択される位置は、マクロ画像表示エリア５６に表示されているマクロ画像の中心位置となっている。本例では、図１１に示したウィザード画面Ｂのマクロ画像表示エリア５６に表示されているマクロ画像上のａ点を初期観察スタート位置として選択する。この場合、そのａ点がマクロ画像表示エリア５６の中心位置となるようにボタン５７〜６０が押下される。
【０１０６】
そして、図１２に示したように、そのａ点がマクロ画像表示エリア５６の中心位置となり、初期観察スタート位置として選択されたものとする。この時の初期観察スタート位置のＸＹ座標を（ｘ＿ａ、ｙ＿ａ）とする。また、ａ点がマクロ画像表示エリア５６の中心に移動したことに伴い、図１２に示したウィザード画面Ｂのスライドイメージエリア５３では矩形枠５４が対応する位置へ移動する。
【０１０７】
初期観察スタート位置の選択が終了した後、ユーザによるボタン６１の押下に応じて、ホストシステム２は、選択された初期観察スタート位置でのＡＦ動作の制御を行う（Ｓ２０７）。本例では、ＡＦ動作後の合焦座標であるＺ座標を（ｚ＿ａ）とする。
【０１０８】
続いて、ホストシステム２は、Ｓ２０１〜Ｓ２０７で行われた設定及び操作を来歴データとして操作来歴記録部４に記録する（Ｓ２０８）。
本例では、上記のＸＹ座標（ｘ＿ａ，ｙ＿ａ）とＺ座標（ｚ＿ａ）とが来歴データとして操作来歴記録部４に記録される。そして、モニター５に表示されていたウィザード画面Ｂをウィザード画面Ｃ（図５参照）に切り替える。これにより、標本サーチメニュー画面であるウィザード画面Ｃに係る図９のフローチャートで示す処理がスタートする。
【０１０９】
図９において、ウィザード画面Ｃに移行すると、まず、ホストシステム２は顕微鏡コントローラ３１に対して指示を行い、使用する対物レンズ２３が４ｘのものでない場合には４ｘのものに切り替える（Ｓ３０１）。
【０１１０】
続いて、ホストシステム２は、選択された検鏡方法を操作来歴記録部４から読み出し（Ｓ３０２）、現在の検鏡方法を、読み出した検鏡方法へ切り替える（Ｓ３０３）。
本例では、検鏡方法として蛍光観察が選択されたことが操作来歴記録部４に記録されていることから、選択された検鏡方法として蛍光観察が読み出される。その読み出しと共に、選択されたキューブとして蛍光キューブＡが読み出される。そして、現在の検鏡方法及びキューブが、読み出された蛍光観察及び蛍光キューブＡに切り替えられる。これにより、現在の検鏡方法に応じた顕微鏡装置１の設定が、蛍光キューブＡを用いた蛍光観察に応じた顕微鏡装置１の設定に切り替えられる。
【０１１１】
検鏡方法の切り替えが終了すると、ホストシステム２は、切り替えた検鏡方法の下でビデオカメラ３によりリアルタイムに標本１９を撮影し、そのＬＩＶＥ画像となるマクロ画像をマクロＬＩＶＥ画像エリア６３に表示することを開始する。
【０１１２】
本例では、蛍光キューブＡを用いた蛍光観察に切り替えられたことから、ホストシステム２は、その蛍光キューブＡを用いた蛍光観察の下でビデオカメラ３によりリアルタイムに標本１９を撮影し、そのＬＩＶＥ画像となるマクロ画像をマクロＬＩＶＥ画像エリア６３に表示することを開始する。図１３は、この時のウィザード画面Ｃの一例を示す図である。
【０１１３】
続いて、ユーザによるマクロＬＩＶＥ画像エリア６３の範囲指定枠６４の操作（マウスによるドラッグ＆ドロップ）に応じて、ホストシステム２は、範囲指定枠６４を移動させる。又は、ユーザによるマクロＬＩＶＥ画像エリア６３上でのマウスのドラック＆ドロップ操作によるマクロ画像のスクロール操作に応じて、ホストシステム２は、電動ステージ２０を移動させる（Ｓ３０４）。これにより、観察ターゲット（撮影ターゲット）が決定される（Ｓ３０５）。これにより、ユーザは、観察ターゲットの検索を行うことができると共に、所望の範囲を範囲指定枠６４に合わせることによりその範囲を観察ターゲットとして決定させることができる。
【０１１４】
本例では、図１３に示したウィザード画面ＣのマクロＬＩＶＥ画像エリア６３に表示されているマクロ画像上のｂ点を観察ターゲットとして決定する。この場合、そのｂ点が範囲指定枠６４の中心位置となるように範囲指定枠６４が操作される。そして、図１４に示したように、そのｂ点が範囲指定枠６４の中心位置となり、観察ターゲットとして決定される。なお、図１４において、枠６４’は、移動後の範囲指定枠６４を示している。
【０１１５】
続いて、ホストシステム２は、Ｓ３０５で決定された観察ターゲットを撮影対象位置として決定する。それと共に、ユーザによる範囲指定枠切替エリア６７のスライダー６７ａの操作に応じて、ホストシステム２は、範囲指定枠６４の大きさを変更し、撮影倍率（対物レンズ倍率）を決定する（Ｓ３０６）。
【０１１６】
本例では、図１４に示した範囲指定枠６４’内のｂ点が撮影対象位置として決定される。それと共に、ユーザによるスライダー６７ａの操作に応じて撮影倍率が２０ｘの対物レンズが決定されたものとする。なお、ｂ点の位置のＸＹ座標を（ｘ＿ｂ，ｙ＿ｂ）とする。
【０１１７】
続いて、ユーザによるボタン７０の押下に応じて、ホストシステム２は、この時にマクロＬＩＶＥ画像エリア６３に表示されている範囲を撮影する。ホストシステム２は、この時の撮影で得られたマクロ画像と、Ｓ３０１〜Ｓ３０６で行われた設定及び操作とを、来歴データとして操作来歴記録部４に記録する（Ｓ３０７）。
【０１１８】
本例では、この時にマクロＬＩＶＥ画像エリア６３に表示されている範囲を撮影したマクロ画像をマクロ画像（ｐｉｃ＿ｍ＿ｂ）とする。すると、操作来歴記録部４には、このマクロ画像（ｐｉｃ＿ｍ＿ｂ）と、撮影対象位置の座標として上記のｂ点のＸＹ座標（ｘ＿ｂ、ｙ＿ｂ）と、変更後の範囲指定枠６４の大きさに応じた撮影倍率（２０ｘ）等が、来歴データとして記録される。そして、モニター５に表示されていたウィザード画面Ｃをウィザード画面Ｄ（図６参照）に切り替える。これにより、撮影メニュー画面であるウィザード画面Ｄに係る図１０のフローチャートで示す処理がスタートする。
【０１１９】
図１０において、ウィザード画面Ｄに移行すると、まず、ホストシステム２は、決定された撮影対象位置の座標及び撮影倍率を操作来歴記録部４から読み出す（Ｓ４０１）。ホストシステム２は、対物レンズ２３を、読み出した撮影倍率に対応する対物レンズ２３へ切り替える（Ｓ４０２）。更に、ホストシステム２は、読み出した撮影対象位置の座標へ電動ステージ２０を移動させる（Ｓ４０３）。
【０１２０】
本例では、撮影対象位置の座標（ｘ＿ｂ、ｙ＿ｂ）と撮影倍率（２０ｘ）が操作来歴記録部４に記録されたことから、２０ｘのものへ対物レンズ２３が切り替えられ、撮影対象位置の座標（ｘ＿ｂ、ｙ＿ｂ）へ電動ステージ２０が移動する。
【０１２１】
そして、ホストシステム２は、切り替えられた対物レンズ２３を用いてビデオカメラ３によりリアルタイムに標本１９の撮影対象位置を撮影し、そのＬＩＶＥ画像を画像表示エリア７２へ表示することを開始する。また、ウィザード画面Ｄへ移行する直前に操作来歴記録部４に記録されたマクロ画像がホストシステム２により読み出され、そのマクロ画像がステージコントロール・マップエリア７７に表示される。
【０１２２】
本例では、切り替えられた２０ｘの対物レンズ（図１４に示した範囲指定枠６４’の大きさに応じて決定された２０ｘの対物レンズ）を用いてビデオカメラ３によりリアルタイムに撮影対象位置となるｂ点が撮影され、そのＬＩＶＥ画像を画像表示エリア７２へ表示することが開始される。また、ウィザード画面Ｄへ移行する直前に操作来歴記録部４に記録されたマクロ画像（ｐｉｃ＿ｍ＿ｂ）が読み出される。そのマクロ画像（ｐｉｃ＿ｍ＿ｂ）がステージコントロール・マップエリア７７に表示される。図１５は、この時のウィザード画面Ｄの一例を示す図である。
【０１２３】
図１５のウィザード画面Ｄに示したように、撮影対象位置となるｂ点が画像表示エリア７２の中心に表示される。さらに、マクロ画像（ｐｉｃ＿ｍ＿ｂ）がステージコントロール・マップエリア７７に表示される。
【０１２４】
続いて、ユーザによる画像表示エリア７２内の位置の指定に応じて、ホストシステム２は、指定された位置が画像表示エリア７２の中心位置となるように電動ステージ２０を移動させる（Ｓ４０４）。これにより、ユーザは、撮影対象位置（撮影を行う範囲）の微調整を行うことができる。
【０１２５】
本例では、図１５に示したウィザード画面Ｄの画像表示エリア７２に表示されているＬＩＶＥ画像上のｃ点を撮影対象位置とする。ユーザによりそのｃ点が指定されると、ホストシステム２は、そのｃ点が画像表示エリア７２の中心位置となるように電動ステージ２０を移動させる。
【０１２６】
そして、図１６に示したように、そのｃ点が画像表示エリア７２の中心位置となって撮影対象位置とされたものとする。また、この時には、ｃ点が画像表示エリア７２の中心に移動したことに伴い、ステージコントロール・マップエリア７７では、矩形枠７８がそのＣ点に対応する位置へ移動する。なお、ｃ点の位置のＸＹ座標を（ｘ＿ｃ，ｙ＿ｃ）とする。
【０１２７】
続いて、ユーザによるフォーカス・補正環エリア７３におけるＡＦボタン７５の押下（例えばマウスによるクリック）に応じて、ホストシステム２は、ＡＦ動作（合焦動作）の制御を行う（Ｓ４０５）。
【０１２８】
また、このＡＦ動作の後に、ユーザによるフォーカス・補正環エリア７３におけるスライドバー７４の操作に応じて電動ステージ２０を光軸方向（ｚ方向）へ移動することにより、合焦位置の変更を行うこともできる。これにより、ユーザは、合焦位置の微調整を行うこともできる。なお、Ｓ４０５で行われるＡＦ動作自体を、スライドバー７４の操作のみによるマニュアルによって行うようにすることもできる。合焦位置の座標であるＺ座標を（ｚ＿ｃ）とする。
【０１２９】
続いて、ホストシステム２は、現在の標本１９に対する補正環データ（補正環位置）が操作来歴記録部４に記録されているか否かを判定する（Ｓ４０６）。
ここで、Ｓ４０６の判定結果がＮｏの場合には、ホストシステム２は、補正環位置調整・決定の処理を行う（Ｓ４０７）。この処理では、ユーザによるフォーカス・補正環エリア７３における補正環調整ボタン７６Ａ及び７６Ｂの押下に応じて、ホストシステム２は、使用中の対物レンズ２３の補正環を駆動する制御を行う。これにより、ユーザは、画像表示エリア７２に表示されているＬＩＶＥ画像を確認しながら補正環調整ボタン７６Ａ及び７６Ｂを押下することで、最適な補正環位置を調整することができる。よって、カバーガラスによる厚みの収差補正を行うことができる。
【０１３０】
そして、ユーザによるウィザード画面Ｄに対する所定の操作に応じて、ホストシステム２は、現在の補正環位置を、調整後（補正後）の補正環位置（補正環データ）として操作来歴記録部４に記録する。これにより、ユーザは、調整後の補正環位置を操作来歴記録部４に記録させることができる。本例では、補正環データとして補正環位置（ｈ＿１）が操作来歴記録部４に記録されたものとする。
【０１３１】
一方、Ｓ４０６の判定結果がＹｅｓの場合には、ホストシステム２は、操作来歴記録部４に記録された補正環データを読み出し、その補正環データに応じた位置へ補正環を駆動する（Ｓ４０８）。これにより、最適な位置へ補正環が駆動され、カバーガラスによる厚みの収差補正を行うことができる。例えば、補正環データとして上記の補正環位置（ｈ＿１）が操作来歴記録部４に記録されていたとすると、その補正環データに応じて補正環が補正環位置（ｈ＿１）へ駆動される。
【０１３２】
このようなＳ４０６〜Ｓ４０８の処理により、本フローでは、１つの標本に対してＳ４０７の処理が一度だけ行われるようになる。そして、Ｓ４０７の処理が一度行われた後は、標本が交換されるまでＳ４０７の処理は行われず、代わりにＳ４０８の処理が行われるようになる。
【０１３３】
Ｓ４０７又はＳ４０８の処理が終了すると、ホストシステム２は、ユーザによりボタン７９が押下されたか否かを判定する（Ｓ４０９）。なお、この判定は、ビデオカメラ３の撮影条件を設定するにあたり、過去の撮影時に使用した撮影条件を使用するか否かを判定するものである。
【０１３４】
ここで、Ｓ４０９の判定結果がＹｅｓの場合には、ホストシステム２は、現在の観察条件（検鏡方法、使用中のキューブ、対物レンズの倍率（撮影倍率）、撮影画像サイズ等）に同一又は類似の観察条件の下で過去にビデオカメラ３により撮影され操作来歴記録部４に記録された画像（但しマクロ画像を除く）を検索する。そして、ホストシステム２は、該当する画像を、ウィザード画面Ｄとは別に表示されるウィンドウ内に一覧表示する（Ｓ４１０）。図１７は、この時のウィンドウの一例を示す図である。
【０１３５】
図１７に示したウィンドウの例では、類似度の高い上位４つの画像（ｐｉｃ＿１〜ｐｉｃ＿４）に加え、直近に撮影された画像（但し、マクロ画像を除く）（ｐｉｃ＿０）も表示するようにしている。なお、図１７において、ｐｉｃ＿０〜ｐｉｃ＿４は説明の便宜のために示したものであり、実際には表示されるものではない。
【０１３６】
続いて、ユーザによる画像選択操作（例えばマウスによるクリック）により、ウィンドウ内の１つの画像が選択される。ホストシステム２は、その選択された画像を撮影した時の撮影条件を設定し、その撮影条件をメニュー８４に表示する（Ｓ４１１）。これにより、ユーザは、ウィンドウ内の所望の画像を選択することにより、その画像を撮影した時に使用した撮影条件を容易に再現させることができる。
【０１３７】
なお、ウィンドウ内で選択された画像に対しては、例えば、図１７に示したように太点線枠（ｐｉｃ＿０の画像を参照）が設けられ、選択されていない画像と区別可能に表示される。また、このウィンドウは、例えば、ウィザード画面Ｄが他のウィザード画面に切り替えられると、消えるようになっている。
【０１３８】
本フローでは、再現可能な撮影条件を、露出、調光（ＮＤフィルタ含む）、Ｗ／Ｂ（ホワイトバランス）、及びＢ／Ｂ（ブラックバランス）の各撮影条件とし、撮影時の電動ステージ２０のＸＹ座標及びＺ座標は再現させない条件とする。また、再現可能な撮影条件においては、更に、撮影条件毎に、再現させるか否かを選択可能となっている。
【０１３９】
なお、この選択は、例えば、画像が一覧表示されたウィンドウ内から行うようにすることができる。この場合、一覧表示されたウィンドウ内からユーザが所望の画像を選択すると、例えば、その画像を撮影した時の撮影条件が同ウィンドウ内に併せて表示される。それにより、再現しない或いは再現する撮影条件をユーザが選択できるように構成することにより実現することができる。
【０１４０】
本例では、図１７に示したウィンドウの例において、ユーザにより画像（ｐｉｃ＿２）が選択され、撮影条件として、露出（ａｅ＿２）、調光（ｌ＿２）、Ｗ／Ｂ（ｗｂ＿２）、Ｂ／Ｂ（ｂｂ＿２）が設定・再現されたものする。
【０１４１】
一方、Ｓ４０９の判定結果がＮｏの場合には、ホストシステム２は、最後に撮影が行われた時の撮影条件（但しマクロ画像撮影時の撮影条件を除く）を設定し、その撮影条件をメニュー８４に表示する。なお、このときの撮影条件の設定及び表示は、ウィザード画面Ｄに切り替えられた直後に行うようにすることも可能である。
【０１４２】
このようにして撮影条件が設定されると、続いて、ユーザによるメニュー８４に対する撮影条件を変更するための操作（例えばマウスのクリック）に応じて、ホストシステム２は、設定された撮影条件を変更する（Ｓ４１２）。これにより、ユーザは、設定された撮影条件の微調整を行うことができる。また、これによりユーザがマニュアルで撮影条件を設定することができることは勿論のことである。
【０１４３】
続いて、ユーザによるＳＨＯＴボタン８１の押下に応じて、ホストシステム２は、画像表示エリア７２に表示されているＬＩＶＥ画像の撮影を行う（Ｓ４１３）。本例では、この時の撮影条件（ｃ点を撮影した時の撮影条件）を、露出（ａｅ＿ｃ）、調光（ｌ＿ｃ）、Ｗ／Ｂ（ｗｂ＿ｃ）、及びＢ／Ｂ（ｂｂ＿ｃ）とし、撮影された画像を（ｐｉｃ＿ｃ）とする。なお、このＬＩＶＥ画像の撮影が行われると、撮影された画像がＰＡＵＳＥ画像として画像表示エリア７２に表示される。
【０１４４】
続いて、ホストシステム２は、Ｓ４０１〜Ｓ４１３で行われた設定及び操作を来歴データとして操作来歴記録部４に記録する（Ｓ４１４）。本例では、現在のＸＹ座標及びＺ座標でもある上記のＸＹ座標（ｘ＿ｃ，ｙ＿ｃ）及びＺ座標（ｚ＿ｃ）と、Ｓ４１３でｃ点を撮影した時の撮影条件である、露出（ａｅ＿ｃ）、調光（ｌ＿ｃ）、Ｗ／Ｂ（ｗｂ＿ｃ）、及びＢ／Ｂ（ｂｂ＿ｃ）と、その撮影画像（ｐｉｃ＿ｃ）等が、操作来歴記録部４に記録される。また、このＳ４１４では、ユーザによるボタン８６の押下により、画像表示エリア７２に表示されているＰＡＵＳＥ画像をＬＩＶＥ画像に切り替えることも可能である。
【０１４５】
以上が、ウィザード画面を使用しながら標本観察を行う一連の動作である。しかし、各ウィザード画面では、上述のとおり、必要に応じて他のウィザード画面へ切り替えることも可能である。この場合、ボタン３８の押下により、ウィザード画面Ａへ切り替えて図７に示したフローを再開させることが可能である。また、ボタン３９の押下により、ウィザード画面Ｂへ切り替えて図８に示したフローを再開させることが可能である。また、ボタン４０又はボタン８２の押下により、ウィザード画面Ｃへ切り替えて図９に示したフローを再開させることが可能である。また、ボタン４１の押下により、ウィザード画面Ｄへ切り替えて図１０に示したフローを再開させることが可能である。
【０１４６】
これにより、例えば、上記のＳ４１４の処理が終了した後に、ユーザがボタン８２を押下すると、引き続き、別の撮影ポイントとなる観察ターゲットを探索することが可能となる。この場合は、ユーザによるボタン８２の押下に応じて、モニター５に表示されているウィザード画面Ｄがウィザード画面Ｃに切り替えられる。そして、使用する対物レンズ２３が２０ｘのものから４ｘのものに変更される。そして、マクロＬＩＶＥ画像エリア６３に再び４ｘの対物レンズによるマクロ画像（ＬＩＶＥ画像）が表示される。
【０１４７】
なお、この時のＸＹ座標及びＺ座標が、ウィザード画面Ｄからウィザード画面Ｃへ切り替わる直前のＸＹ座標及びＺ座標から引き継がれるものとなることは、ウィザード画面Ｃに係るフローチャート（図９参照）から明らかである。
【０１４８】
従って、本例では、ＸＹ座標及びＺ座標が、ウィザード画面Ｃへ切り替わる直前のＸＹ座標（ｘ＿ｃ，ｙ＿ｃ）及びＺ座標（ｚ＿ｃ）から引き継がれるものとなる。図１８は、この時のウィザード画面Ｃの一例を示す図である。
【０１４９】
ここで、ユーザによる図１８のウィザード画面Ｃに対する操作により、マクロＬＩＶＥ画像エリア６３に表示されているｄ点が新たな観察ターゲットとして決定され、撮影倍率として２０ｘが決定され、そして、ウィザード画面Ｄに切り替えられる。
【０１５０】
すると、そのウィザード画面Ｄにおける画像表示エリア７２には、２０ｘの対物レンズによるｄ点のＬＩＶＥ画像が表示される。図１９は、この時のウィザード画面Ｄの一例を示す図である。
【０１５１】
ここで、ユーザは再び、撮影条件として、最後に撮影が行われた時の撮影条件を設定することも可能である。また、ボタン７９の押下により、過去の撮影時に使用した撮影条件を設定することも可能である。また、ユーザは、そのようにして設定した撮影条件の微調整を、メニュー８４を介して行うこともできる。
【０１５２】
次に、マウス８８のホイール操作によって、顕微鏡システムを構成する駆動ユニットを制御することについて説明する。
図２０は、マウス８８の一例を示す。マウス８８は、ホイール付マウスであり、左ボタン９０、右ボタン９２、及びホイール９１を有する。ホイール９１は、一般的に画面のスクロールに用いられるものであり、Ｗ１の方向及びＷ２の方向に回転する。ホイール９１の回転方向と回転量は、ホストシステム２によって検出される。また、Ｐは、画面上に表示されるマウス８８のマウスポインタの一例を示す。
【０１５３】
ホイール９１には、駆動ユニットを制御するための機能が割り当てされている。このとき、制御の対象となる駆動ユニットは、ウィザード画面毎、およびウィザード画面内の領域毎に異なっている。
【０１５４】
以下では、図２１〜図３４の画面図と図３５のフローチャートを参照しながら、ウィザード画面Ｃについての機能の割り当てについて説明する。
図３５のフローチャートにおいて、ホストシステム２は、ウィザード画面Ｃ内を複数の領域に分割し、各領域に駆動ユニットを制御するための機能を割り当てる（Ｓ５０１）。図２１に示すように、ホストシステム２は、ウィザード画面Ｃにおいて、ホイール９１による操作区分を、操作区分Ａ、操作区分Ｂ、操作区分Ｃ、操作区分Ｄ、操作区分Ｅのエリアに分割する。
【０１５５】
このようにウィザード画面Ｃ内を複数の領域に分割することにより次のことを実現する。すなわち、マウスポインタの位置をそれぞれの操作区分に移動させて、その移動させた操作区分でホイール９１を回転させると、その操作区分に割り当てられた駆動ユニットの駆動を制御する。
【０１５６】
まず、図２１に示すように、区分領域Ａにマウスポインタがある場合について説明する。ホイール９１が操作された場合（Ｓ５０２）、ホストシステム２は、マウスポインタＰの位置の検出を行う（Ｓ５０３）。マウスポインタＰが操作領域Ａにあった場合（Ｓ５０４）、ホストシステム２はマウスポインタのＧＵＩ（グラフィカルユーザインターフェース）をＰで示す形態から図２２のＰ−ａで示す形態に変更する（Ｓ５０８）。
【０１５７】
ホストシステム２は、対物レンズ２３と電動ステージ２０間の距離を調整するために、顕微鏡コントローラ３２を介して、ホイール９１の回転方向及び回転量に応じて、ステージＺ駆動制御部２２の駆動制御を行う（Ｓ５０９）。
【０１５８】
すなわち、ホイール９１がＷ２の方向に動かされた場合は、ホストシステム２は、標本１９が対物レンズ２３に近づく方向に、ホイール９１の回転量に応じて、ステージＺ駆動制御部２２の駆動制御を行う。また、ホイール９１がＷ１の方向に動かされた場合は、ホストシステム２は、標本１９が対物レンズ２３に離れる方向に、ホイール９１の回転量に応じて、ステージＺ駆動制御部２２の駆動制御を行う。
【０１５９】
電動ステージ２０は、Ｚ方向にホイール１クリックあたり１０μｍで駆動できる。ウィザード画面Ｃでは倍率が固定されているため、駆動量も固定されている。クリックがないマウスホイールの場合はホイール１回転あたりの駆動量が例えば２４０μｍに対応するようになっていてもよい。
【０１６０】
ステージＺ駆動制御部２２の駆動操作が終了した場合、ホストシステム２は、再びマウスポインタのＧＵＩをＰで示す形態に戻す（Ｓ５１９）。このように、マウスポインタが区分領域Ａにある場合、ホイール９１を回転させることで電動ステージ２０のＺ方向の駆動が可能となる。
【０１６１】
次に、図２３に示すように、区分領域Ｂにマウスポインタがある場合について説明する。ホイール９１が操作された場合（Ｓ５０２）、マウスポインタＰの位置の検出を行う（Ｓ５０３）。マウスポインタＰが区分領域Ｂにあった場合（Ｓ５０５）、ホストシステム２はマウスポインタのＧＵＩをＰで示す形態から図２４のＰ−ｂで示す形態に変更する（Ｓ５１１）。
【０１６２】
続いて、マウス操作により、次のウィザード画面Ｄにおけるビデオカメラ３による撮影を行う範囲を示したものである範囲指定枠６４の大きさが、ホイール９１の回転方向及び回転量に応じて変更される。そして、ホストシステム２は、その変更された範囲指定枠６４の大きさに基づいて、撮影範囲を設定する（Ｓ５１２）。
【０１６３】
すなわち、ホイール９１がＷ１の方向に動かされた場合は、ホストシステム２は、図２４に示すように、撮影範囲がＢからＢ’へ大きくなる方向（撮影倍率が小さくなる方向）に、ホイール９１の回転量に応じて、その撮影範囲を囲む範囲指定枠６４の大きさを変更する。また、ホイール９１がＷ２の方向に動かされた場合は、ホストシステム２は、図２５に示すように、撮影範囲がＢからＢ”へ小きくなる方向（撮影倍率が大さくなる方向）に、ホイール９１の回転量に応じて、その撮影範囲を囲む範囲指定枠６４の大きさを変更する。
【０１６４】
マウスポインタが区分領域Ｂの外側へ移動した場合は、ホストシステム２は、再びマウスポインタのＧＵＩをＰで示す形態に戻す（Ｓ５１９）。ホイール操作による撮影範囲の変更後、ウィザード画面Ｄへ移行すると、範囲指定枠６４により指定された範囲の撮影を行うことができる。したがって、ポインタが区分領域Ｂにある場合、ホイール９１を回転させることで次のウィザード画面Ｄにおける撮影範囲を設定することが可能となる。
【０１６５】
続いて、図２６に示すように区分領域ＣにマウスポインタＰがある場合について説明する。ホイール９１が操作された場合であって（Ｓ５０２）、マウスポインタＰが操作領域Ｃにあった場合（Ｓ５０６）、ホストシステム２はマウスポインタのＧＵＩをＰで示す形態から図２７のＰ−ｃで示す形態に変更する（Ｓ５１３）。
【０１６６】
続いて、ホストシステム２は、顕微鏡コントローラ３２を介して、ホイール９１の回転方向及び回転量に応じて、ステージＸ−Ｙ駆動制御部２１のＸ方向の駆動の制御を行う（Ｓ５１４）。
【０１６７】
すなわち、ホイール９１がＷ１の方向に動かされた場合は、標本１９を図２７中の左向き矢印で示すＸ方向に移動させるために、ホストシステム２は、ホイール９１の回転量に応じて、ステージＸ−Ｙ駆動制御部２１の駆動制御を行う。ホイール９１がＷ２の方向に動かされた場合は、標本１９を図２８中の右向き矢印で示すＸ方向に移動させるために、ホストシステム２は、ホイール９１の回転量に応じて、ステージＸ−Ｙ駆動制御部２１の駆動制御を行う。
【０１６８】
電動ステージ２０の駆動量は、マウスホイール１クリックあたり表示エリア方向の１／４画面分の移動量に相当する。クリックがないマウスホイールの場合、マウスホイール１回転あたりの駆動量が例えば５画面分の駆動量に対応するようになっていてもよい。
【０１６９】
電動ステージ２０の駆動操作が終了した場合は、ホストシステム２は、再びマウスポインタのＧＵＩをＰで示す形態に戻す（Ｓ５１９）。したがって、マウスポインタが区分領域Ｃにある場合、ホイール９１を回転させることで電動ステージ２０のＸ方向の駆動が可能となる。
【０１７０】
続いて、図２９に示すように区分領域Ｄにマウスポインタがある場合について説明する。ホイール９１が操作された場合（Ｓ５０２）であって、マウスポインタＰが操作領域Ｄにあった場合（Ｓ５０７）、ホストシステム２はマウスポインタのＧＵＩをＰで示す形態から図３０のＰ−ｄで示す形態に変更する（Ｓ５１５）。
【０１７１】
続いて、ホストシステム２は、顕微鏡コントローラ３２を介して、ホイール９１の回転方向及び回転量に応じて、ステージＸ−Ｙ駆動制御部２１のＹ方向の駆動の制御を行う（Ｓ５１６）。
【０１７２】
すなわち、ホイール９１がＷ１の方向に動かされた場合は、標本１９を図３０中の上向き矢印で示すＸ方向に移動させるために、ホストシステム２は、ホイール９１の回転量に応じて、ステージＸ−Ｙ駆動制御部２１の駆動制御を行う。ホイール９１がＷ２の方向に動かされた場合は、ホストシステム２は、標本１９を図３１中の下向き矢印で示すＸ方向に移動させるために、ホイール９１の回転量に対応させて、ステージＸ−Ｙ駆動制御部２１の駆動の制御を行う。
【０１７３】
電動ステージ２０の駆動操作が終了した場合は、再びマウスポインタのＧＵＩをＰで示す形態に戻す動作を行う（Ｓ５１９）。したがって、マウスポインタが区分領域Ｃにある場合、ホイール９１を回転させることでステージのＹ方向の駆動が可能となる。
【０１７４】
続いて、図３２に示すように区分領域Ｅにマウスポインタがある場合について説明する。ホイール９１が操作された場合（Ｓ５０２）であって、マウスポインタＰが操作領域Ｅにあった場合（Ｓ５２０）、ホストシステム２はポインタのＧＵＩをＰで示す形態から図３３のＰ−ｅで示す形態に変更する（Ｓ５１７）。
【０１７５】
続いて、ホストシステム２は、顕微鏡コントローラ３２を介して、ホイール９１の回転方向及び回転量に応じて、光源の調光制御を行う（Ｓ５１８）。ホイール９１がＷ１の方向に動かされた場合、図３３に示すように、範囲指定枠６４中の標本画像は明るくなる。ホイール９１がＷ２の方向に動かされた場合、図３４に示すように、範囲指定枠６４中の標本画像は暗くなる。
【０１７６】
すなわち、ホイール９１がＷ１の方向に動かされた場合、ホストシステム２は、図３３に示すように光量を上げる方向に、ホイール９１の回転量に応じて、光源の調光駆動制御を行う。ホイール９１がＷ２の方向に動かされた場合、ホストシステム２は、図３４に示すように光量を下げる方向に、ホイール９１の回転量に応じて、光源の調光駆動制御を行う。
【０１７７】
光源の調光の駆動操作が終了した場合は、ホストシステム２は再びマウスポインタのＧＵＩをＰで示す形態に戻す（Ｓ５１９）。したがって、マウスポインタが区分領域Ｅにある場合、ホイール９１を回転させることで光源の調光駆動制御が可能となる。
【０１７８】
次に、図３６〜図３８の画面図と図３９のフローチャートを参照しながら、ウィザード画面Ｄについての機能の割り当てについて説明する。
図３９のフローチャートにおいて、ホストシステム２は、ウィザード画面Ｄ内を複数の領域に分割し、各領域に駆動ユニットを制御するための機能を割り当てる（Ｓ６０１）。図３６に示すように、ホストシステム２は、ウィザード画面Ｄにおいて、ホイール９１による操作区分を、操作区分Ａ、操作区分Ｃ、操作区分Ｄ、操作区分Ｅ、操作区分Ｆのエリアに分割する。
【０１７９】
このようにウィザード画面内を複数の領域に分割することによりウィザード画面Ｃと同様の制御を実現する。すなわち、マウスポインタの位置をそれぞれの操作区分に移動させて、その移動させた操作区分でホイール９１を回転させると、その操作区分に割り当てられた駆動ユニットの駆動を制御する。
【０１８０】
まず、区分領域Ａにマウスポインタがある場合について説明する。操作区分Ａにおいてマウス操作を行うと、ウィザード画面Ｃと同様に、ホストシステム２は、対物レンズ２３と電動ステージ２０間の距離を調整するためにホイール９１の回転方向及び回転量に応じて、ステージＺ駆動制御部２２の制御を行う（Ｓ６０９）。
【０１８１】
すなわち、ホイール９１がＷ２の方向に動かされた場合、ホストシステム２は、標本１９が対物レンズ２３に近づく方向に、ホイール９１の回転量に応じて、ステージＺ駆動制御部２２の駆動制御を行う。ホイール９１がＷ１の方向に動かされた場合は、ホストシステム２は、標本１９が対物レンズ２３から離れる方向に、ホイール９１の回転量に応じて、ステージＺ駆動制御部２２の駆動制御を行う。
【０１８２】
ステージＺ駆動制御部２２によりＺ方向へ駆動される電動ステージ２０の駆動量は、光学倍率に応じて可変である。したがって、２０×の倍率が選択された場合は、マウスホイール１クリックあたり１μｍで駆動できる。また、４０×の倍率が選択され場合は、マウスホイール１クリックあたり０．５μｍで駆動できる。クリックがないマウスホイールの場合はホイール１回転あたりの駆動量が例えばそれぞれ、２０μｍ、１０μｍの駆動量に対応するようになっていてもよい。
【０１８３】
操作区分Ｃ、操作区分Ｄ、操作区分Ｅについてはウィザード画面Ｃと同様のため、その説明を省略する。
次に、図３６に示すように区分領域Ｆにマウスポインタがある場合について説明する。ホイール９１が操作された場合であって（Ｓ６０２）、マウスポインタＰが操作領域Ｆにあった場合（Ｓ６０５）、ホストシステム２はマウスポインタのＧＵＩをＰで示す形態から図３７のＰ−ｆで示す形態に変更する（Ｓ６１１）。
【０１８４】
続いて、ホストシステム２は、顕微鏡コントローラ３２を介して、ホイール９１の回転方向及び回転量に応じて、光学倍率を調整するため、ズーム光学系２７の駆動制御を行う（Ｓ６１２）。
【０１８５】
すなわち、ホイール９１がＷ２の方向に動かされた場合は、ホストシステム２は、ズーム光学系２７に対して、図３７に示すように光学倍率を上げる方向に、ホイール９１の回転量に応じて、駆動制御を行う。ホイール９１がＷ１の方向に動かされた場合は、ホストシステム２は、図３８に示すように光学倍率を下げる方向に、ホイール９１の回転量に応じて、ズーム光学系２７の駆動制御を行う。なお、ズーム光学系は、ホイール１クリックあたり１ｘの倍率を変更する駆動量で駆動できる。
【０１８６】
ズーム光学系２７の駆動操作が終了した場合は、ホストシステム２は、再びマウスポインタのＧＵＩをＰで示す形態に戻す（Ｓ６１９）。したがって、マウスポインタが区分領域Ｆにある場合、ホイール９１を回転させることで光学倍率の駆動が可能となる。
【０１８７】
図４０は、ホイール操作制御テーブルの一例を示す。ホイール操作制御テーブルは、ウィザード画面毎に存在し、ホストシステム２の記憶装置に格納されている。ホイール操作制御テーブルは、例えば「区分領域名」、「区分領域範囲」、「駆動ユニット名」、「ホイールによる操作内容」、「マウスポインタイメージ」が格納されている。
【０１８８】
「区分領域名」には、区分領域の名称が格納される。「区分領域範囲」には、ウィザード画面上におけるその区分領域の範囲を示す座標が格納される。「駆動ユニット名」には、その区分領域に割り当てられた駆動ユニット名が格納される。「ホイールによる操作内容」には、その区分領域にマウスポインタがある場合の、ホイールの回転方向及び回転量に応じて駆動ユニットを駆動させるための制御情報が格納される。「マウスポインタイメージ」には、その区分領域上にマウスポインタがある場合に表示されるマウスポインタのイメージデータまたはそのイメージデータの所在情報が格納される。
【０１８９】
ホストシステム２のＣＰＵは、図３５及び図３９のフローを実行する場合、各ウィザード画面に対応するホイール操作制御テーブルを記憶装置から読み出して、そのフローに基づく処理を行う。ホイール操作制御テーブルを用いることにより、ホストシステム２は、ウィザード画面上の領域に応じて、駆動させる駆動ユニットを切り換えることができる。さらに、ホイール操作制御テーブルを用いることにより、ホストシステム２は、ホイールの回転方向及び回転量を、その切り換えた駆動ユニットの物理的動作のための指示信号に変換して顕微鏡コントローラ３１へ送信することができる。よって、顕微鏡コントローラ３１は、その送信された信号に基づいて、その駆動ユニットを駆動させることができる。
【０１９０】
以上のように、本実施形態に係る顕微鏡システムでは、標本表示画面または操作メニュー表示画面において、選択された領域およびその領域でのマウス８８のホイール操作に応じて、駆動対象の駆動ユニットが自動的に切り替えられると共に、その切り替えられた駆動ユニットを制御できる。これにより、顕微鏡システムの操作性向上と、ユーザの操作負担の低減を図ることが可能となる。
【０１９１】
なお、本実施形態では、ポインティングデバイスのホイール付マウスのマウスホイールの割付について説明したが、トラップボールやその他の一般的なポインティングデバイスに置き換えてもよい。また、マウスホイールによる駆動量は、固定量ではなく、各部位毎にユーザが任意に設定できるようになっていてもよい。また、マウスのホイールに割り当てられている駆動ユニットは、電動ＡＳ（Aperture Stop）、電動補正環、その他の駆動ユニットであってもよい。
【０１９２】
図７〜図１０、図３５、及び図３９のフローチャートで示した処理及びホイール操作制御テーブルは、前述したような標準的な構成のコンピュータのＣＰＵに行わせるための制御プログラムを作成してコンピュータ読み取り可能な記録媒体に記録させておいてもよい。この場合、そのプログラムを記録媒体からコンピュータに読み込ませてＣＰＵで実行させることにより、本発明を実施することができる。
【０１９３】
記録させた制御プログラムをコンピュータで読み取ることの可能な記録媒体としては、例えば、コンピュータに内蔵若しくは外付けの付属装置として備えられるＲＯＭやハードディスク装置などの記憶装置、コンピュータに備えられる媒体駆動装置へ挿入することによって記録された制御プログラムを読み出すことのできるフレキシブルディスク、ＭＯ（光磁気ディスク）、ＣＤ−ＲＯＭ、ＤＶＤ−ＲＯＭなどといった携帯可能記録媒体等が利用できる。
【０１９４】
また、記録媒体は、通信回線を介してコンピュータと接続される、プログラムサーバとして機能するコンピュータシステムが備えている記憶装置であってもよい。この場合には、制御プログラムを表現するデータ信号で搬送波を変調して得られる伝送信号を、プログラムサーバから伝送媒体である通信回線を通じてコンピュータへ伝送するようにし、コンピュータでは受信した伝送信号を復調して制御プログラムを再生することでこの制御プログラムをコンピュータのＣＰＵで実行できるようになる。
【０１９５】
例えば、上述した実施形態に係る顕微鏡システムでは顕微鏡装置１として正立型顕微鏡装置を採用していたが、その代わりに、倒立型顕微鏡装置を採用してもよい。また、顕微鏡装置を組み込んだライン装置といった各種システムに本実施形態を適応してもよい。
【０１９６】
本発明によれば、標本表示画面または操作メニュー表示画面において、マウスで選択された領域及びその選択された領域上でのマウスホイール操作に応じて、駆動される駆動ユニットが自動的に切り替えられる。これにより、顕微鏡システムの操作性の向上と、ユーザの操作負担の低減を図ることが可能となる。
【０１９７】
以上、本発明の実施形態を説明したが、本発明は、上述した各実施形態に限定されることなく、本発明の要旨を逸脱しない範囲内で種々の改良・変更が可能である。
【図面の簡単な説明】
【０１９８】
【図１】本発明を実施する顕微鏡システムの構成例を示す図である。
【図２】４つのウィザード画面の概要を説明する図である。
【図３】ウィザード画面Ａの一例を示す図である。
【図４】ウィザード画面Ｂの一例を示す図である。
【図５】ウィザード画面Ｃの一例を示す図である。
【図６】ウィザード画面Ｄの一例を示す図である。
【図７】ウィザード画面Ａに係るフローチャートを示す図である。
【図８】ウィザード画面Ｂに係るフローチャートを示す図である。
【図９】ウィザード画面Ｃに係るフローチャートを示す図である。
【図１０】ウィザード画面Ｄに係るフローチャートを示す図である。
【図１１】観察動作中のウィザード画面Ｂの一例を示す第１の図である。
【図１２】観察動作中のウィザード画面Ｂの一例を示す第２の図である。
【図１３】観察動作中のウィザード画面Ｃの一例を示す第１の図である。
【図１４】観察動作中のウィザード画面Ｃの一例を示す第２の図である。
【図１５】観察動作中のウィザード画面Ｄの一例を示す第１の図である。
【図１６】観察動作中のウィザード画面Ｄの一例を示す第２の図である。
【図１７】ウィンドウの一例を示す図である。
【図１８】観察動作中のウィザード画面Ｃの一例を示す第３の図である。
【図１９】観察動作中のウィザード画面Ｄの一例を示す第３の図である。
【図２０】マウス８８の一例を示す。
【図２１】ウィザード画面Ｃの区分領域ＡにマウスポインタＰがある場合の画面例を示す。
【図２２】ウィザード画面Ｃの区分領域ＡにおいてマウスポインタＰが検出されて、マウスポインタの形態が変更された場合の画面例を示す。
【図２３】ウィザード画面Ｃの区分領域ＢにマウスポインタＰがある場合の画面例を示す。
【図２４】ウィザード画面Ｃの区分領域ＢにおいてマウスポインタＰが検出されて、マウスポインタの形態が変更された場合の画面例（その１）を示す。
【図２５】ウィザード画面Ｃの区分領域ＢにおいてマウスポインタＰが検出されて、マウスポインタの形態が変更された場合の画面例（その２）を示す。
【図２６】ウィザード画面Ｃの区分領域ＣにマウスポインタＰがある場合の画面例を示す。
【図２７】ウィザード画面Ｃの区分領域ＣにおいてマウスポインタＰが検出されて、マウスポインタの形態が変更された場合の画面例（その１）を示す。
【図２８】ウィザード画面Ｃの区分領域ＣにおいてマウスポインタＰが検出されて、マウスポインタの形態が変更された場合の画面例（その２）を示す。
【図２９】ウィザード画面Ｃの区分領域ＤにマウスポインタＰがある場合の画面例を示す。
【図３０】ウィザード画面Ｃの区分領域ＤにおいてマウスポインタＰが検出されて、マウスポインタの形態が変更された場合の画面例（その１）を示す。
【図３１】ウィザード画面Ｃの区分領域ＤにおいてマウスポインタＰが検出されて、マウスポインタの形態が変更された場合の画面例（その２）を示す。
【図３２】ウィザード画面Ｃの区分領域ＥにマウスポインタＰがある場合の画面例を示す。
【図３３】ウィザード画面Ｃの区分領域ＥにおいてマウスポインタＰが検出されて、マウスポインタの形態が変更された場合の画面例（その１）を示す。
【図３４】ウィザード画面Ｃの区分領域ＥにおいてマウスポインタＰが検出されて、マウスポインタの形態が変更された場合の画面例（その２）を示す。
【図３５】ウィザード画面Ｃの各領域上でマウスのホイール操作を行った場合のフローを示す。
【図３６】ウィザード画面Ｄの区分領域ＦにマウスポインタＰがある場合の画面例を示す。
【図３７】ウィザード画面Ｄの区分領域ＦにおいてマウスポインタＰが検出されて、マウスポインタの形態が変更された場合の画面例（その１）を示す。
【図３８】ウィザード画面Ｄの区分領域ＦにおいてマウスポインタＰが検出されて、マウスポインタの形態が変更された場合の画面例（その２）を示す。
【図３９】ウィザード画面Ｄの各領域上でマウスのホイール操作を行った場合のフローを示す。
【図４０】ホイール操作制御テーブルの一例を示す。
【符号の説明】
【０１９９】
１      顕微鏡装置
２      ホストシステム
３      ビデオカメラ
４      操作来歴記録部
５      モニター
６      透過照明用光源
７      コレクタレンズ
８      透過用フィルタユニット
９      透過視野絞り
１０    透過開口絞り
１１    コンデンサ光学素子ユニット
１２    トップレンズユニット
１３    落射照明用光源
１４    コレクタレンズ
１５    落射用フィルタユニット
１６    落射シャッタ
１７    落射視野絞り
１８    落射開口絞り
１９    観察体
２０    電動ステージ
２１    ステージＸ−Ｙ駆動制御部
２２    ステージＺ駆動制御部
２３    対物レンズ
２４    レボルバ
２５    キューブユニット
２６    接眼レンズ
２７    ズーム光学系
２８    ポラライザー
２９    ＤＩＣプリズム
３０    アナライザー
３１    顕微鏡コントローラ
３２    ビデオボード
３３    カメラコントローラ
３４    顕微鏡操作部
３５    エリア
３６    標本交換ボタン
３７    エリア
３８、３９、４０、４１  ボタン
４３    蛍光観察選択ボタン
４４    微分干渉観察選択ボタン
４５    明視野観察選択ボタン
４６、４７、４８、４９  ボタン
５０    エリア
５１、５２  ボタン
５３    スライドイメージエリア
５４    エリア
５５    矩形枠
５６    マクロ画像表示エリア
５７、５８、５９、６０、６１、６２  ボタン
６３    マクロＬＩＶＥ画像エリア
６４    範囲指定枠
６５    スライドエリア
６６    十字マーク
６７    範囲指定枠切替エリア
６８    フォーカスエリア
６９    ツールエリア
７０、７１  ボタン
７２    画像表示エリア
７３    フォーカス・補正環エリア
７４    スライドバー
７５    ＡＦボタン
７６    補正環調整ボタン
７７    ステージコントロール・マップエリア
７８    矩形枠
７９    ボタン
８１    ＳＨＯＴボタン
８０、８２、８３  ボタン
８４    エリア
８５    表示画像切替エリア
８６、８７  ボタン
８８    ホイール付マウス
８９    検鏡方法変更指示エリア
９０    左ボタン
９１    ホイール
９２    右ボタン
【図２】
2010079035.tif 000003
【図３】
2010079035.tif 000004
【図４】
2010079035.tif 000005
【図５】
2010079035.tif 000006
【図６】
2010079035.tif 000007
【図７】
2010079035.tif 000008
【図８】
2010079035.tif 000009
【図９】
2010079035.tif 000010
【図１０】
2010079035.tif 000011
【図１１】
2010079035.tif 000012
【図１４】
2010079035.tif 000013
【図２０】
2010079035.tif 000014
【図４０】
2010079035.tif 000015
【図１】
2010079035.tif 000016
【図１２】
2010079035.tif 000017
【図１３】
2010079035.tif 000018
【図１５】
2010079035.tif 000019
【図１６】
2010079035.tif 000020
【図１７】
2010079035.tif 000021
【図１８】
2010079035.tif 000022
【図１９】
2010079035.tif 000023
【図２１】
2010079035.tif 000024
【図２２】
2010079035.tif 000025
【図２３】
2010079035.tif 000026
【図２４】
2010079035.tif 000027
【図２５】
2010079035.tif 000028
【図２６】
2010079035.tif 000029
【図２７】
2010079035.tif 000030
【図２８】
2010079035.tif 000031
【図２９】
2010079035.tif 000032
【図３０】
2010079035.tif 000033
【図３１】
2010079035.tif 000034
【図３２】
2010079035.tif 000035
【図３３】
2010079035.tif 000036
【図３４】
2010079035.tif 000037
【図３５】
2010079035.tif 000038
【図３６】
2010079035.tif 000039
【図３７】
2010079035.tif 000040
【図３８】
2010079035.tif 000041
【図３９】
2010079035.tif 000042